【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
複数のトリミング情報を持つ画像データを取得する取得手段であって、前記複数のトリミング情報の各々は、前記画像データが表す画像の一部の領域を含み且つ異なるアスペクト比を持つ矩形領域を特定する、取得手段と、
出力装置が画像を出力する出力領域のアスペクト比を判定する第１判定手段と、
前記画像データが持つ前記複数のトリミング情報のうち、前記第１判定手段で判定した前記出力領域のアスペクト比と等しいアスペクト比を持つ矩形領域を特定するトリミング情報を検出する検出手段と、
前記検出手段で検出したトリミング情報が特定する矩形領域に基づいて、前記画像データが表す画像の一部の領域を抽出する抽出手段と、
前記抽出手段で抽出した領域の画像を、前記出力領域のサイズに合わせて変倍する変倍手段と、
前記変倍手段で変倍した画像を前記出力装置に出力する出力手段と、
を備えることを特徴とする画像再生装置。
【請求項２】
前記出力領域と等しいアスペクト比を持つ矩形領域を特定するトリミング情報が前記複数のトリミング情報に含まれない場合に、前記複数のトリミング情報のうちいずれかのトリミング情報を、前記出力領域と等しいアスペクト比を持つ矩形領域を特定するように変換する変換手段をさらに備え、
前記出力領域と等しいアスペクト比を持つ矩形領域を特定するトリミング情報が前記複数のトリミング情報に含まれない場合、前記抽出手段は、前記変換手段で変換したトリミング情報が特定する矩形領域に基づいて、前記画像データが表す画像の一部の領域を抽出することを特徴とする請求項１に記載の画像再生装置。
【請求項３】
前記取得手段で取得した画像データが前記複数のトリミング情報を持つか否かを判定する第２判定手段をさらに備え、
前記取得手段で取得した画像データが前記複数のトリミング情報を持たないと前記第２判定手段によって判定された場合、前記変倍手段は、前記画像データが表す画像の全領域が前記出力領域に収まるように当該全領域の画像を変倍することを特徴とする請求項１または２に記載の画像再生装置。
【請求項４】
前記取得手段は複数の画像データを取得し、
制御手段であって、
前記複数の画像データのうちの１つの画像データが前記複数のトリミング情報を持つか否かを前記第２判定手段に判定させ、
前記１つの画像データが前記複数のトリミング情報を持つと前記第２判定手段によって判定された場合、前記１つの画像データが持つ前記複数のトリミング情報のうち、前記第１判定手段で判定した前記出力領域のアスペクト比と等しいアスペクト比を持つ矩形領域を特定するトリミング情報を前記検出手段に検出させ、前記検出手段で検出したトリミング情報が特定する矩形領域に基づいて、前記１つの画像データが表す画像の一部の領域を前記抽出手段に抽出させ、前記抽出手段で抽出した領域の画像を、前記出力領域のサイズに合わせて前記変倍手段に変倍させ、
前記１つの画像データが前記複数のトリミング情報を持たないと前記第２判定手段によって判定された場合、前記１つの画像データが表す画像の全領域が前記出力領域に収まるように当該全領域の画像を前記変倍手段に変倍させ、
前記出力手段に、前記変倍手段で変倍した画像を前記出力装置に出力させる
ことを前記複数の画像データ全てに対して実行する制御手段をさらに備える
ことを特徴とする請求項３に記載の画像再生装置。
【請求項５】
前記検出手段で検出したトリミング情報が特定する矩形領域が、前記画像データが表す画像の領域外の領域を含む場合、前記変倍手段は、前記出力領域と等しいアスペクト比を持ち、前記抽出手段で抽出した領域の画像が中心に配置され、前記抽出手段で抽出した領域の画像が配置された領域以外の領域が黒塗りされた画像を、前記出力領域のサイズに一致するように変倍することを特徴とする請求項１乃至４のいずれか１項に記載の画像再生装置。
【請求項６】
前記検出手段で検出したトリミング情報が特定する矩形領域が、前記画像データが表す画像の領域外の領域を含む場合、前記変倍手段は、前記抽出手段で抽出した領域のうち、前記出力領域と等しいアスペクト比を持つ領域の画像を、前記出力領域のサイズに一致するように変倍することを特徴とする請求項１乃至４のいずれか１項に記載の画像再生装置。
【請求項７】
取得手段が、複数のトリミング情報を持つ画像データを取得する取得工程であって、前記複数のトリミング情報の各々は、前記画像データが表す画像の一部の領域を含み且つ異なるアスペクト比を持つ矩形領域を特定する、取得工程と、
第１判定手段が、出力装置が画像を出力する出力領域のアスペクト比を判定する第１判定工程と、
検出手段が、前記画像データが持つ前記複数のトリミング情報のうち、前記第１判定工程で判定した前記出力領域のアスペクト比と等しいアスペクト比を持つ矩形領域を特定するトリミング情報を検出する検出工程と、
抽出手段が、前記検出工程で検出したトリミング情報が特定する矩形領域に基づいて、前記画像データが表す画像の一部の領域を抽出する抽出工程と、
変倍手段が、前記抽出工程で抽出した領域の画像を、前記出力領域のサイズに合わせて変倍する変倍工程と、
出力手段が、前記変倍工程で変倍した画像を前記出力装置に出力する出力工程と、
を備えることを特徴とする画像再生方法。
【請求項８】
請求項７に記載の画像再生方法の各工程をコンピュータに実行させるためのプログラム。
【請求項９】
請求項８に記載のプログラムを記録したコンピュータ読み取り可能な記憶媒体。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
上記課題を解決するために、本発明の画像再生装置は、複数のトリミング情報を持つ画像データを取得する取得手段であって、前記複数のトリミング情報の各々は、前記画像データが表す画像の一部の領域を含み且つ異なるアスペクト比を持つ矩形領域を特定する、取得手段と、出力装置が画像を出力する出力領域のアスペクト比を判定する第１判定手段と、前記画像データが持つ前記複数のトリミング情報のうち、前記第１判定手段で判定した前記出力領域のアスペクト比と等しいアスペクト比を持つ矩形領域を特定するトリミング情報を検出する検出手段と、前記検出手段で検出したトリミング情報が特定する矩形領域に基づいて、前記画像データが表す画像の一部の領域を抽出する抽出手段と、前記抽出手段で抽出した領域の画像を、前記出力領域のサイズに合わせて変倍する変倍手段と、前記変倍手段で変倍した画像を前記出力装置に出力する出力手段と、を備えることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また、本発明の画像再生方法は、取得手段が、複数のトリミング情報を持つ画像データを取得する取得工程であって、前記複数のトリミング情報の各々は、前記画像データが表す画像の一部の領域を含み且つ異なるアスペクト比を持つ矩形領域を特定する、取得工程と、第１判定手段が、出力装置が画像を出力する出力領域のアスペクト比を判定する第１判定工程と、検出手段が、前記画像データが持つ前記複数のトリミング情報のうち、前記第１判定工程で判定した前記出力領域のアスペクト比と等しいアスペクト比を持つ矩形領域を特定するトリミング情報を検出する検出工程と、抽出手段が、前記検出工程で検出したトリミング情報が特定する矩形領域に基づいて、前記画像データが表す画像の一部の領域を抽出する抽出工程と、変倍手段が、前記抽出工程で抽出した領域の画像を、前記出力領域のサイズに合わせて変倍する変倍工程と、出力手段が、前記変倍工程で変倍した画像を前記出力装置に出力する出力工程と、を備えることを特徴とする。